(57)【要約】【課題】ファインダ対物レンズの移動機構の部品点数を図りながら、安定してレンズユニットを案内部材（ガイド軸）に摺動させること。【解決手段】ファインダ光学系の変倍時に光軸方向へ移動する第１と第２のレンズユニットと、前記ファインダ光学系の光軸方向へ前記各レンズユニットを案内するための案内部材と、前記第１のレンズユニットに設けられ前記案内部材と係合して案内される第１の係合部と、第２のレンズユニットに設けられ前記案内部材と係合して案内される第２の係合部と、を有するカメラのファインダ機構において、前記第１の係合部を、前記第２の係合部を跨いで前記案内部材と係合させること。【選択図】　　　　図４
2004020923.tif 000002
【特許請求の範囲】
【請求項１】
ファインダ光学系の変倍時に光軸方向へ移動する第１と第２のレンズユニットと、前記ファインダ光学系の光軸方向へ前記各レンズユニットを案内するための案内部材と、前記第１のレンズユニットに設けられ前記案内部材と係合して案内される第１の係合部と、第２のレンズユニットに設けられ前記案内部材と係合して案内される第２の係合部と、を有するカメラのファインダ機構において、前記第１の係合部は、前記第２の係合部を跨いで前記案内部材と係合していることを特徴とするカメラのファインダ機構。
【請求項２】
前記案内部材は、ガイド軸であることを特徴とする請求項１に従うファインダ機構。
【請求項３】
前記第２の係合部は前記第１の一部の係合部を跨いで前記案内部材と係合していることを特徴とする請求項１に従うファインダ機構。
【発明の詳細な説明】
【０００１】
【発明の属する技術分野】
本発明は、カメラのファインダのズーム駆動機構に関するものである。
【０００２】
【従来の技術】
従来のカメラにおいては、ファインダのズーム駆動に関する機構は以下のように構成されるのが一般的である。複数のファインダ対物レンズが案内手段により案内されており、ズーム駆動時に各ファインダ対物レンズがファインダ光軸方向へ移動可能になっている構成である。ここで言う案内手段とは、光軸と平行に配置されたガイド軸に対物レンズの一部をガイド軸に対して嵌合させている機構である。
【０００３】
図９〜図１１に従来のファインダのズーム駆動に関する機構の一例を示す。図で示すように、２本のガイド軸３１、３２に対して複数の対物レンズ２２、２３、２４が吊り下げられており、これらのガイド軸を介して対物レンズ２２、２３、２４が光軸方向へガイドされる。また、カム板１３はズーム時に鏡筒に連動して動作し鏡筒のズーム動作を伝達する。カム板１３にはカム溝１３ａ、１３ｂ、１３ｃに各対物レンズの嵌合部２２ｂ、２３ｂ、２４ｂに設けられた駆動ピン２２ａ、２３ａ、２４ａが嵌合する。
【０００４】
撮影レンズ鏡筒のズーム時に、カム板１３の動作に連動して対物レンズ２２、２３、２４はカム溝に沿って光軸方向へ動作する。また、各レンズに設けられた振れ止めピン２２ｃ、２３１ｃ、２４ｃはファインダ地板１１の振れ止め溝１１ａにそれぞれ嵌合して各レンズのガイド軸３１中心の回転止めとなる。
【０００５】
ガイド軸３１、３２と対物レンズ２２、２３、２４の嵌合部２２ｂ、２３ｂ、２４ｂはガイド軸３１、３２との適度な嵌合部の長さ（嵌合長）を有している。
【０００６】
この例のようにガイド軸３１、３２の全長が短くて対物レンズの嵌合部とガイド軸との嵌合長を十分に設定できない場合は、ガイド軸を複数で構成して複数の対物レンズそれぞれに対して十分な嵌合長を設けられるようにするのが一般的である。この構成では対物レンズ２２、２３、２４が複数のガイド軸３１、３２に対して安定的に保持される様に適度な長さの嵌合長を設けているため、ズーム駆動時にファインダから観察される像が揺れたりすることを防いでいる。このような機構は、例えば特開平０７−０２８１３２公報などの公報にて開示されている。
【０００７】
【発明が解決しようとする課題】
ところで、ファインダ機構の小型化のためにファインダ対物系の全長を短くする構成を考えると、隣り合ったレンズの嵌合部同士がズーム時にぶつからないように短くすると嵌合部の長さ（嵌合長）が十分でなくなる。また、嵌合長を十分に取るために上述した従来例のようにガイド軸を複数にする構成を考えると部品点数が増加するとともに余分なスペースを取ることになる。このことが特に対物レンズの枚数が多いファインダにおいて小型化の障害となっている。
【０００８】
そこで本発明が解決すべき課題は、部品を増やさずに簡単な構成でファインダの全長を短くして小型化するとともにズーム駆動時に安定した動作を行うことのできるカメラのファインダ機構を提供することである。
【０００９】
【課題を解決するための手段】
そして本発明は、上述した課題を解決すべく、ファインダ光学系の変倍時に光軸方向へ移動する第１と第２のレンズユニットと、前記ファインダ光学系の光軸方向へ前記各レンズユニットを案内するための案内部材と、前記第１のレンズユニットに設けられ前記案内部材と係合して案内される第１の係合部と、第２のレンズユニットに設けられ前記案内部材と係合して案内される第２の係合部と、を有するカメラのファインダ機構において、前記第１の係合部は、前記第２の係合部を跨いで前記案内部材と係合していることを特徴とするカメラのファインダ機構。
【００１０】
特に、前記案内部材は、ガイド軸である。更に、前記第２の係合部は前記第１の一部の係合部を跨いで前記案内部材と係合するように構成することにある。
【００１１】
【発明の実施の形態】
（第１の実施例）
以下に本発明の第１の実施例について説明する。
【００１２】
本発明の第１実施例を適用したカメラを図１に示す。従来のカメラと同様カメラボディー１の前面にレンズ鏡筒２、ファインダ対物窓３が設けられている。図２、図３は本発明の第１実施例を適用したカメラのファインダ機構の斜視図である。
【００１３】
本発明の第１実施例を適用したカメラのファインダ機構では、レンズ鏡筒２を構成する鏡筒部品を保持する固定筒４（図２参照）の上方にファインダ光学系を保持するファインダ地板１１、１２が配置され、ファインダ光学系を構成するレンズなどを保持する。ファインダ地板１１は固定の対物レンズ２１と可動の対物レンズ２２、２３１、２４、プリズム２５を保持している。また、ファインダ地板１２はプリズム２６と接眼レンズ２７を保持しており、ファインダ地板１１と結合してファインダユニットを形成する。
【００１４】
また、対物レンズを構成するレンズユニット２２、２３１、２４（図３、図４参照）はそれぞれ係合部２２ｂ、２３１ｂ、２４ｂを有し、各レンズユニットを光軸方向へ移動可能にガイドするガイド軸３１と各レンズの係合部とが軸係合し、各レンズは光軸方向に摺動可能に支持されている。固定筒４とファインダ地板１１の間にはレンズ鏡筒２のズーム駆動をファインダユニットへ伝達するカム板１３１が設けられている。カム板１３１にはカム溝１３１ａ、１３１ｂ、１３１ｃに各対物レンズの係合部２２ｂ、２３１ｂ、２４ｂに設けられた駆動ピン２２ａ、２３１ａ、２４ａが係合している。このカム板１３１は撮影レンズ鏡筒の変倍に連動して光軸と直交する方向に駆動されるようになっている。
【００１５】
この構成の基で、鏡筒のズーム時におけるカム板１３１の移動動作に連動して各レンズ２２、２３１、２４はカム溝に沿って光軸方向へ移動する。また、各レンズに設けられた振れ止めピン２２ｃ、２３１ｃ、２４ｃはファインダ地板１１の振れ止め溝１１ａにそれぞれ嵌合して各レンズのガイド軸３１中心の回転止めとなる。
【００１６】
図４はファインダを構成する光学系と駆動機構を上面から見た図である。図４は撮影レンズがワイドの状態を示している。また、図５は撮影レンズがテレの状態を示している。尚、両図面とも図面下方を被写体方向として描いている。
【００１７】
図４、図５で示すように、本実施例の対物レンズの構成ではテレ状態で各対物レンズが接近する構成となっている。そのため、３つの対物レンズのうち中央に位置するレンズユニット２３１はテレ時に両隣のレンズユニット２２、２４と近づきレンズ間の隙間が少なくなるので、両隣の隙間のみで十分な長さを有したガイド軸３１と係合による係合長を設けることは困難となっている。
【００１８】
この問題を解決するため、本実施例ではレンズユニット２４はズーム駆動時にはレンズユニット２３１と同一方向へ移動し、かつレンズユニット２３１、２４は相互間の相対移動距離が小さく、レンズユニット２４の係合部２４ｂは、レンズユニット２３１の係合部２３１ｂで囲まれた範囲内で移動可能なようにレンズユニット２３１の係合部２３１ｂが、対物レンズ２４の係合部２４ｂを跨ぐように構成されている。このような構成のため、対物レンズ２３１のガイド軸３１に対する係合長は図５中のＬ１相当の長さとなり、対物レンズ２３１はガイド軸３１に対して安定的に摺動され保持される。
【００１９】
また、レンズユニット２４の嵌合部２４ｂは、レンズ２３１の係合部２３１ｂで囲まれた範囲内で動作するように各レンズユニットの係合部の長さ、駆動ピン、カム形状の位置などが設定されている。そのため、レンズの各係合部間にはどのズームポジションにおいても適切な隙間が確保されるようになっている。
【００２０】
このような構成により、ガイド軸の本数を増やすことなく、かつガイド軸の全長を長くすることなく対物レンズとガイド軸間に適切な係合長を確保することができる。
【００２１】
（第２の実施例）
以下に本発明の第２の実施例について図６から図８を基にして説明する。
【００２２】
図６は本発明の第２実施例を適用したカメラのファインダ機構の斜視図である。第１実施例と同じ役割を果たす部材については同じ符号を付し、その説明は省略する。
【００２３】
対物レンズを構成するレンズユニット２２、２３２、２４２はそれぞれ係合部２２ｂ、２３２ｂ、２４２ｂを有し、光軸方向へ移動可能にガイドされたガイド軸３１と各レンズユニットの係合部とが軸係合し、光軸方向に摺動可能に支持されている。固定筒とファインダ地板１１の間にはレンズ鏡筒２のズーム駆動をファインダレンズユニットへ伝達するカム板１３２が設けられている。カム板１３２にはカム溝１３２ａ、１３２ｂ、１３２ｃに各レンズユニットの係合部２２ｂ、２３２ｂ、２４２ｂに設けられた駆動ピン２２ａ、２３２ａ、２４２ａが係合する。このカム板１３２は撮影レンズ鏡筒の変倍に連動して光軸と直交する方向に駆動されるようになっている。
【００２４】
この構成の基で、撮影レンズ鏡筒のズーム時におけるカム板１３２の動作に連動して、各レンズユニット２２、２３２、２４２はカム溝に沿って光軸方向へ動作する。また、各レンズに設けられた振れ止めピン２２ｃ、２３２ｃ、２４２ｃはファインダ地板１１の振れ止め溝１１ａにそれぞれ嵌合して各レンズのガイド軸３１中心の回転止めとなる。
【００２５】
図７はファインダを構成する光学系と駆動機構を上面から見た図である。図７は撮影レンズがワイドの状態を示している。また、図８は撮影レンズがテレの状態を示している。
【００２６】
図７、図８で示すように、本実施例の対物レンズの構成ではテレ状態で対物レンズ２３２と対物レンズ２４２は離れる方向へ移動する。
【００２７】
本実施例ではレンズユニット２３２の係合部２３２ｂとレンズユニット２４２の係合部２４２ｂは、お互いの係合部を跨ぐように構成されている。このような構成のため、レンズユニット２３２のガイド軸３１に対する係合長は図８中のＬ２相当の長さとなり、レンズ２４２のガイド軸３１に対する嵌合長は図８中のＬ３相当の長さとなり、各レンズ２３２、２４２はガイド軸３１に対して安定的に保持され、摺動されることになる。
【００２８】
また、レンズユニット２３２の係合部２３２ｂは、レンズユニット２４２の係合部２４２ｂの双方が動作範囲内で干渉せずに動作するように各レンズユニットの係合部の長さ、駆動ピン、カム形状の位置などが設定されている。そのため、レンズの各係合部間にはどのズームポジションにおいても適切な隙間が確保されるようになっている。
【００２９】
このような構成により、ガイド軸の本数を増やすことなく、かつガイド軸の全長を長くすることなく対物レンズとガイド軸間に適切な係合長を確保することができる。
【００３０】
【発明の効果】
以上説明したように、本発明によるカメラのファインダ機構によれば、ファインダ対物レンズの移動機構の部品点数を図りながら、安定してレンズユニットを案内部材（ガイド軸）に摺動させることが可能となる。
【図面の簡単な説明】
【図１】一般的なカメラの斜視図。
【図２】本発明の第１実施例を適用したカメラのファインダ装置を示した斜視図。
【図３】本発明の第１実施例を適用したカメラのファインダ装置を示した斜視図。
【図４】本発明の第１実施例を適用したカメラのファインダ装置示した上面図。
【図５】本発明の第１実施例を適用したカメラのファインダ装置を示した上面図。
【図６】本発明の第２実施例を適用したカメラのファインダ装置を示した斜視図。
【図７】本発明の第２実施例を適用したカメラのファインダ装置を示した上面図。
【図８】本発明の第２実施例を適用したカメラのファインダ装置を示した上面図。
【図９】従来のカメラのファインダ装置の構成部品を示した斜視図。
【図１０】従来のカメラのファインダ装置の構成部品を示した上面図。
【図１１】従来のカメラのファインダ装置の構成部品を示した上面図。
【符号の説明】
１　カメラボディー
２　レンズ鏡筒
３　ファインダ対物窓
４　固定筒
１１、１２　ファインダ地板
１３　ファインダカム板
２１〜２４　ファインダ対物レンズ
２５、２６　ファインダプリズム
２７　ファインダ接眼レンズ
３１、３２　ガイドバー
１３１、１３２　ファインダカム板
２３１、２３２、２４２　ファインダ対物レンズ
【図１】
2004020923.tif 000003
【図２】
2004020923.tif 000004
【図３】
2004020923.tif 000005
【図４】
2004020923.tif 000006
【図５】
2004020923.tif 000007
【図６】
2004020923.tif 000008
【図７】
2004020923.tif 000009
【図８】
2004020923.tif 000010
【図９】
2004020923.tif 000011
【図１０】
2004020923.tif 000012
【図１１】
2004020923.tif 000013